【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
少なくとも２つの互いに異なる応答特性を有する複数の放射線検出器（４，６）からのスペクトルデータの合成処理方法であって、
各検出器に対する応答マトリックスを得るステップと、
各検出器に入射する放射線からのデータを収集するステップと、
各検出器からの収集データに対するスペクトルヒストグラムを生ぜしめるステップと、
各検出器に対する応答マトリックスを使用する数値デコンボリューションを適用することにより各検出器からのヒストグラムをデコンボリューション処理して、複数の検出器からの情報を表現的に合成している単一のスペクトルヒストグラムを導出するようにするステップと
を具えており、
前記数値デコンボリューションがベイジアンデコンボリューションである合成処理方法。
【請求項２】
比較的高いエネルギー分解能及び比較的低い絶対効率の双方又は何れか一方を有する第１種の少なくとも１つの検出器（４）と、比較的低いエネルギー分解能及び比較的高い絶対効率の双方又は何れか一方を有する第２種の少なくとも１つの検出器（６）とを具える検出器システムからのデータの処理に適用するようにした請求項１に記載の合成処理方法。
【請求項３】
請求項１または２に記載の合成処理方法において、公称的な真のスペクトルを単一の検出器応答から導出されるスペクトルよりも一層表現的とした導出スペクトルを反復的に近づけるために、数値デコンボリューションを適用する前記ステップが、少なくとも２つの互いに異なる応答特性を有する放射線検出器（４，６）からのデータに対して繰返し且つ順次に反復実行されるデコンボリューションステップを有するようにした合成処理方法。
【請求項４】
請求項１〜３の何れか一項に記載の合成処理方法において、この合成処理方法が、初期ステップで、各検出器に対し応答マトリックスを得るステップを具えており、デコンボリューションステップで、それぞれの検出器応答マトリックスを使用してベイジアンデコンボリューションに対する事前関数を導出する、ベイジアンデコンボリューションを適用することにより、各検出器からのヒストグラムをデコンボリューション処理するステップを具えている合成処理方法。
【請求項５】
請求項１〜４の何れか一項に記載の合成処理方法において、ベイジアンデコンボリューションを適用するステップが、以下の数値関係、すなわち
【数１】
2015501928.tif 000001
を適用し、ここで、Ｍは測定スペクトルとし、Ｔは真のスペクトルとし、Ｒは測定の既知の規則的な歪みを表す応答マトリックスとし、Ｎは雑音とするステップを具えている合成処理方法。
【請求項６】
請求項１〜５の何れか一項に記載の合成処理方法において、それぞれの検出器応答マトリックスをモンテカルロシミュレーション法によりシミュレーションするようにした合成処理方法。
【請求項７】
請求項１〜６の何れか一項に記載の合成処理方法において、事前に得られた応答マトリックスを、後に収集するデータに適用する方法のデコンボリューションステップで後に使用するために記憶するようにした合成処理方法。
【請求項８】
請求項１〜７の何れか一項に記載の合成処理方法において、この方法の各遂行の初期ステップとして応答マトリックスを発生させるようにした合成処理方法。
【請求項９】
検査状態下の物体からの放出放射線データを収集及び解析する方法であって、
少なくとも２つの互いに異なる応答特性を有する複数の検出器（４，６）を有する放射線検出器システムを準備するステップと、
物体（２）から発生される放射線が前記複数の検出器（４，６）に入射させられるような配置で、この物体を前記放射線検出器システムに対し位置決めするステップと、
各検出器に入射された放射線からのデータを収集し、これらのデータを請求項１〜８の何れか一項の方法に従い処理するステップと
を具えているデータ収集及び解析方法。
【請求項１０】
請求項９に記載のデータ収集及び解析方法において、この方法が、初期ステップで、各検出器に対し応答マトリックスを得るステップを具えており、デコンボリューションステップで、それぞれの検出器応答マトリックスを使用するベイジアンデコンボリューションを適用することにより各検出器からのヒストグラムをデコンボリューション処理するステップを具えているデータ収集及び解析方法。
【請求項１１】
入射放射線から導出したデータを処理する検出器システムにおいて、この検出器システムが、
別々にアドレスしうる複数の放射線検出器（４，６）と、
処理装置（８，１０，１２，１４）と
を具えており、この処理装置（８，１０，１２，１４）が、
各検出器に入射される放射線からのデータを収集するとともに、各検出器からの収集データに対するスペクトルヒストグラムを生ぜしめる収集モジュールと、
各検出器に対する応答マトリックスを使用する数値デコンボリューションを適用することにより各検出器からのヒストグラムにデコンボリューション処理を行なって、複数の検出器からの情報を表現的に合成した単一のスペクトルヒストグラムを導出するデコンボリューションモジュールと
を具えており、
前記別々にアドレスしうる複数の放射線検出器は少なくとも２つの互いに異なる応答特性を有し、前記前記デコンボリューションモジュールは、ベイジアンデコンボリューションを適用するようになっている検出器システム。
【請求項１２】
請求項１１に記載の検出器システムにおいて、前記処理装置が更に、
各検出器に対する応答マトリックスの導出及び記憶の双方又は何れか一方を行う応答マトリックスモジュールと、
デコンボリューションモジュールが、導出及び記憶の双方又は何れか一方が行われた応答マトリックスをデコンボリューションステップで適用し、複数の検出器からの情報を表現的に合成している単一のスペクトルヒストグラムを導出するようにするデータリンクと
を具えている検出器システム。
【請求項１３】
請求項１２に記載の検出器システムにおいて、前記応答マトリックスモジュールは、各検出器に対する応答マトリックスをモンテカルロシミュレーション法により導出するようになっている検出器システム。
【請求項１４】
請求項１２又は１３に記載の検出器システムにおいて、前記処理装置は、ベイジアンデコンボリューションに対する事前関数をそれぞれの検出器応答マトリックスから導出するようになっている検出器システム。
【請求項１５】
請求項１１〜１４の何れか一項に記載の検出器システムにおいて、この検出器システムが、比較的高いエネルギー分解能及び比較的低い絶対効率の双方又は何れか一方を有する第１種の少なくとも１つの検出器（４）と、比較的低いエネルギー分解能及び比較的高い絶対効率の双方又は何れか一方を有する第２種の少なくとも１つの検出器（６）とを具えている検出器システム。
【請求項１６】
請求項１５に記載の検出器システムにおいて、第１種の検出器（４）が直接変換型半導体検出器装置を有し、該直接変換型半導体検出器装置は、結晶質のCd1-(a+b) Mna Znb Teを有し、ここでａ及びｂの双方又は何れか一方は０にしうるようにした検出器システム。
【請求項１７】
請求項１５又は１６に記載の検出器システムにおいて、第２種の検出器（６）が間接変換型のシンチレータ半導体検出器装置を有している検出器システム。
【請求項１８】
コンピュータプログラム製品であって、例えば、コンピュータ可読媒体又は適切にプログラミングされたプログラマブルデータ処理装置上で、少なくとも２つの互いに異なる応答特性を有する複数の放射線検出器（４，６）からのスペクトルデータを合成処理するための一連の方法ステップを実行する一連のプログラム命令を有している当該コンピュータプログラム製品において、前記方法ステップが、
前記複数の放射線検出器の各々から収集された入射放射線データに対するスペクトルヒストグラムを生ぜしめるステップと、
各検出器に対する応答マトリックスを使用する数値デコンボリューションを適用することにより各検出器からのヒストグラムをデコンボリューション処理して、複数の検出器からの情報を表現的に合成している単一のスペクトルヒストグラムを導出するようにするステップと
を有しているようにしたものであり、
前記数値デコンボリューションがベイジアンデコンボリューションであるコンピュータプログラム製品。